(57)【要約】      （修正有）【課題】ペン先と導通するカバーを筐体に着脱可能に設けるとともに、容易に分解するのを防止できる電子ペンを提供する。【解決手段】電子ペン１０は、筐体１２を含み、筐体の一方端にはペン先１４を保持するホルダ３０が設けられる。ペン先１４の一部およびホルダ３０は、ペン先カバー１６で覆われる。ペン先カバー１６は、筐体１２に連結される。電池収容部３２は、ユーザが電子ペン１０を把持する部分に対応して筐体１２に設けられる。電池収容部の開口は電池蓋１８で塞がれ、電池蓋１８をロックするように、筒状のカバー２０が筐体１２の長手方向に装着される。筐体１２の他方端にロック部材２４が固定され、カバ２０ーが筐体１２に固定される。【選択図】図１
2019046005.tif 000002
【特許請求の範囲】
【請求項１】
ペン先と、
前記ペン先を保持する保持部と、
前記保持部と連結され、電池収容部を有し、筒状に延びる筐体と、
前記筐体を長手方向に挿抜可能に設けられ、前記筐体の側面を覆う導電性のカバーと、
前記カバーが前記筐体に装着されたときに、前記ペン先と前記カバーを導通可能に配置される導電部材と、
前記カバーが前記筐体に装着されたときに、前記カバーを固定する固定部材を備え、
前記電子収容部の開口部を前記筐体の側面に形成した、電子ペン。
【請求項２】
ペン先と、
前記ペン先を保持する保持部と、
前記保持部と連結され、電池収容部を有し、筒状に延びる筐体と、
前記筐体の側面に設けられる前記電池収容部の開口部を覆う電池蓋と、
前記筐体を長手方向に挿抜可能に設けられ、前記電池収容部の開口部を覆う位置で前記電池蓋を固定するとともに前記筐体の側面を覆う導電性のカバーと、
前記カバーが前記筐体に装着されたときに、前記ペン先と前記カバーを導通可能に配置される導電部材と、
前記カバーが前記筐体に装着されたときに、前記カバーを固定する固定部材を備える、電子ペン。
【請求項３】
前記導電部材の一部を前記ペン先と前記保持部の間に配置した、請求項１または２記載の電子ペン。
【請求項４】
前記保持部と接触可能であり、前記筐体内部で保持される、感圧センサをさらに備える、請求項３記載の電子ペン。
【請求項５】
前記保持部と接触可能であり、前記筐体内部で保持される、感圧センサをさらに備え、
前記導電部材の一部を前記保持部と前記感圧センサとの間に配置した、請求項１または２記載の電子ペン。
【請求項６】
前記導電部材は導電性の板ばねを含み、
前記板ばねは、前記カバーが前記筐体に装着されたときに弾性変形する、請求項１から５までのいずれかに記載の電子ペン。
【請求項７】
前記導電部材は前記導電性の板ばねと導電性の布で構成され、
前記布の部分が前記ペン先と導通可能に配置される、請求項６記載の電子ペン。
【請求項８】
前記筐体の表面であり、前記電池蓋と前記固定部材の間に操作部が配置される１または複数の操作ボタンをさらに備え、
前記カバーは、前記１または複数の操作ボタンに対応する位置に前記筐体の長手方向に延びる切り欠きを有する、請求項２記載の電子ペン。
【発明の詳細な説明】
【技術分野】
【０００１】
この発明は電子ペンに関し、特にたとえば、静電容量方式のタッチパネルへの入力に用いられる、電子ペンに関する。
【背景技術】
【０００２】
背景技術の一例が特許文献１に開示されている。特許文献１に開示されたペンは、導電性の軸体の接続部と入力尖端の接触部とが接触・導通し、入力尖端のメッキ層から、接触部・接続部を通じて、軸体の把持部まで導電性材料で繋がっている構成である。このため、ユーザがペンを把持すると、ユーザの手指と入力尖端とが導通する。
【０００３】
背景技術の他の例が特許文献２に開示されている。特許文献２に開示された電子ペンは、指示体とアタッチメントを備え、指示体は、電池を収納し、この電池を交換するための開口部を有する筐体本体と、開口部を閉塞する電池蓋とを有し、アタッチメントは、電池蓋の一部を覆うように指示体に装着される。
【先行技術文献】
【特許文献】
【０００４】
【特許文献１】特開２０１２−２５２５２５号公報
【特許文献２】特開２０１６−０１８４６６号公報
【発明の概要】
【発明が解決しようとする課題】
【０００５】
しかしながら、特許文献１に開示されたペンは、電池内蔵のものではないため、電池の交換等のために、軸体（把持部）に開口部を設けたり、軸体を分離したりすることは考慮されていない。
【０００６】
これに対して、特許文献２に開示された電子ペンは、電池交換可能であり、筐体本体に電池交換のための開口部を有しているが、電池蓋のフック部が筐体本体から外れると、電池蓋が筐体本体から外れる構成であるため、電子ペンが落下した場合に、分解してしまう虞がある。
【０００７】
それゆえに、この発明の主たる目的は、新規な、電子ペンを提供することである。
【０００８】
この発明の他の目的は、ペン先と導通するカバーを筐体に着脱可能に設けて筐体の側面から電池交換可能な構成にすることができ、しかも、落下により容易に分解するのを回避できる、電子ペンを提供することである。
【課題を解決するための手段】
【０００９】
第１の発明は、電子ペンであって、ペン先と、保持部と、筐体と、カバーと、導電部材と、固定部材を備える。保持部は、ペン先を保持する。筐体は、保持部と連結され、電池収容部を有し、筒状に延びる。導電性のカバーは、筐体を長手方向に挿抜可能に設けられ、筐体の側面を覆う。導電部材は、カバーが筐体に装着されたときに、ペン先とカバーを導通可能に配置される。固定部材は、カバーが筐体に装着されたときに、カバーを固定する。電子収容部の開口部は筐体の側面に形成される。
【００１０】
第２の発明は、電子ペンであって、ペン先と、保持部と、筐体と、電池蓋と、カバーと、導電部材と、固定部材を備える。保持部は、ペン先を保持する。筐体は、保持部と連結され、電池収容部を有し、筒状に延びる。電池蓋は、筐体の側面に設けられる電池収容部の開口部を覆う。導電性のカバーは、筐体を長手方向に挿抜可能に設けられ、電池収容部の開口部を覆う位置で電池蓋を固定するとともに筐体の側面を覆う。導電部材は、カバーが筐体に装着されたときに、ペン先とカバーを導通可能に配置される。固定部材は、カバーが筐体に装着されたときに、カバーを固定する。
【００１１】
第３の発明は、第１または第２の発明に従属し、導電部材の一部をペン先と保持部の間に配置した。
【００１２】
第４の発明は、第３の発明に従属し、保持部と接触可能であり、筐体内部で保持される、感圧センサをさらに備える。
【００１３】
第５の発明は、第１または第２の発明に従属し、保持部と接触可能であり、筐体内部で保持される、感圧センサをさらに備える。導電部材の一部を保持部と感圧センサとの間に配置した。
【００１４】
第６の発明は、第１から第５の発明までのいずれかに従属し、導電部材は導電性の板ばねを含み、板ばねは、カバーが筐体に装着されたときに弾性変形する。
【００１５】
第７の発明は、第６の発明に従属し、導電部材は導電性の板ばねと導電性の布で構成される。また、布の部分がペン先と導通可能に配置される。
【００１６】
第８の発明は、第２の発明に従属し、筐体の表面であり、電池蓋と固定部材の間に操作部が配置される１または複数の操作ボタンをさらに備える。カバーは、１または複数の操作ボタンに対応する位置に筐体の長手方向に延びる切り欠きを有する。
【発明の効果】
【００１７】
この発明によれば、ペン先と導通可能なカバーに筐体を長手方向において挿抜可能に設けるため、ペン先と導通するカバーを筐体に着脱可能に設けて筐体の側面から電池交換可能な構成にすることができ、しかも、落下により容易に分解するのを回避できる。
【００１８】
この発明の上述の目的、その他の目的、特徴および利点は、図面を参照して行う以下の実施例の詳細な説明から一層明らかとなろう。
【図面の簡単な説明】
【００１９】
【図１】図１（Ａ）は、この発明の第１実施例に係る電子ペンの外観構成を正面から見た正面図であり、図１（Ｂ）は、図１（Ａ）に示す電子ペンを横から見た側面図であり、図１（Ｃ）は、図１（Ｂ）に示すIC-IC断面を示す断面図であり、図１（Ｄ）は、図１（Ｃ）の断面図の一部を拡大した拡大図である。
【図２】図２は電子ペンの筐体の内部に設けられる電子基板および電池の配置関係を模式的に示す図である。
【図３】図３は電子ペンに内蔵される導電部材の外観構成を斜めから見た斜視図である。
【図４】図４（Ａ）は電子ペンの外観構成を斜めから見た斜視図であり、図４（Ｂ）は図４（Ａ）に示す状態からロック部材を外した状態を示す斜視図であり、図４（Ｃ）は図４（Ｂ）に示す状態からカバーを取り外し、さらに、電池蓋を取り外した状態を示す斜視図であり、図４（Ｄ）は図４（Ｃ）に示す状態の筐体１２から電池を取り出した状態を示す斜視図である。
【図５】図５（Ａ）は、この発明の第２実施例に係る電子ペンの外観構成を正面から見た正面図であり、図５（Ｂ）は、図５（Ａ）に示す電子ペンを横から見た側面図であり、図５（Ｃ）は、図５（Ｂ）に示すVC-VC断面を示す断面図であり、図５（Ｄ）は、図５（Ｃ）の断面図の一部を拡大した拡大図である。
【図６】図６（Ａ）はこの発明の第２実施例の電子ペンの外観構成を斜めから見た斜視図であり、図６（Ｂ）は図６（Ａ）に示す状態からロック部材を外した状態を示す斜視図であり、図６（Ｃ）は図６（Ｂ）に示す状態からカバーを取り外し、さらに、電池蓋を取り外した状態を示す斜視図であり、図６（Ｄ）は図６（Ｃ）に示す状態の筐体から電池を取り出した状態を示す斜視図である。
【図７】図７はこの発明の第３実施例の電子ペンの一部断面を示す断面図である。
【図８】図８はこの発明の第４実施例の電子ペンに内蔵される導電部材の外観構成を斜めから見た斜視図である。
【発明を実施するための形態】
【００２０】
以下、本発明の実施例に係る電子ペンについて図面を参照しながら説明する。
【００２１】
［第１実施例］
図１（Ａ）は、この発明の第１実施例に係る電子ペン１０の外観構成を正面から見た正面図であり、図１（Ｂ）は、図１（Ａ）に示す電子ペン１０を横から見た側面図であり、図１（Ｃ）は、図１（Ｂ）に示すIC-IC断面を示す断面図であり、図１（Ｄ）は、図１（Ｃ）の断面図の一部を拡大した拡大図である。
【００２２】
この第１実施例の電子ペン１０は、電子黒板およびタブレット端末のようなタッチパネルを備える電子機器の操作に用いられペン型の装置であり、具体的には、タッチ入力によって、タッチパネル上の任意の座標（点）を指示したり、線、文字等を書いたりする場合に用いられる。
【００２３】
図１（Ａ）〜図１（Ｄ）を参照して、第１実施例の電子ペン１０の構成について説明する。電子ペン１０は筐体１２を含み、筐体１２は非導電性の樹脂で形成される。また、電子ペン１０はペン先１４を含み、ペン先１４の一部を覆うペン先カバー１６が筐体１２に接合される。ペン先カバー１６もまた、非導電性の樹脂で形成される。筐体１２には、後述する電池収容部３２が形成され、この開口３２ａを塞ぐ蓋（電池蓋）１８が設けられる（図３（Ｃ）および（Ｄ）参照）。また、筐体１２の表面には、ボタン２２ａ、２２ｂ、２２ｃが設けられる。さらに、電子ペン１０は導電性の金属（たとえば、アルミ）で形成されたカバー２０を含み、カバー２０は筐体１２に着脱可能である。さらに、電子ペン１０はロック部材２４を含み、筐体１２のうち、ペン先カバー１６が連結される側の端部とは反対側の端部に取り付けられる。
【００２４】
ただし、カバー２０は、導電性を有する樹脂であってもよいし、非導電性の樹脂に導電性を有する金属メッキが施されたものであってもよい。
【００２５】
筐体１２は、円筒形状に形成され、ペン先カバー１６と連結される側の端部に、ホルダ（保持部）３０が連結され、ホルダ３０にペン先１４が取り付けられる。ペン先１４は、導電性の樹脂で形成される。
【００２６】
また、筐体１２は、この筐体１２の長手方向に延びる１枚の電子基板３４を収納する。図示は省略するが、筐体１２は２つの部材で構成されており、２つの部材は電子基板３４を挟んで固定し、ねじ止めされる。
【００２７】
ペン先カバー１６は、先端（筐体１２とは逆向き）に向かうに従って径が次第に小さくされる円錐台形状に形成され、先端面（円錐台の上面）にペン先１４を通すための開口１６０が設けられる。また、ペン先カバー１６は、円錐台の底面に開口１６２が設けられ、この開口１６２から筐体１２の一部、ペン先１４の一部およびホルダ３０を収容し、筐体１２に接合（螺合）される。ただし、ペン先カバー１６は、筐体１２に螺合されることに代えて、接着されたり、ねじ構造で固定されたりしてもよい。
【００２８】
電池蓋１８は、端面（断面）がアーチ状の板部材であり、電池３６を取り出し可能な大きさに形成される。つまり、電池蓋１８は、円筒形状の電池３６を側面から見た場合の長方形よりも横幅が少し大きい長方形の板を、筐体１２の円筒形状の曲面に一致する曲面状に形成したものである。ただし、電子ペン１０の長手方向が電池蓋１８の縦方向であり、長手方向に垂直な方向が電池蓋１８の横方向である。また、電池蓋１８は一部の厚みが大きくされ、筐体１２に装着した場合の外側面側に突出する凸部（凸条）１８ａを有している（図４（Ｃ）参照）。この凸部１８ａは、後述するカバー２０の切り欠き２０ａの横幅と同じ横幅を有している。つまり、電池蓋１８の横幅は、カバー２０の切り欠き２０ａの横幅よりも広い。したがって、カバー２０が筐体１２に装着されると、電池蓋１８はカバー２０によって押さえられる（ロックされる）。また、凸部１８ａが切り欠き２０ａに嵌るため、電池蓋１８の位置もカバー２０によってロックされる。
【００２９】
カバー２０は、円筒形状に形成され、筐体１２の表面に押圧部（操作部）が設けられるボタン２２ａ、２２ｂ、２２ｃを覆わないように、ペン先１４側の一方の端部が斜めに切断され、長手方向に延びる切り欠き２０ａが形成される。詳細な説明は省略するが、カバー２０の一方の端部が斜めに切断された形状に合うように、筐体１２には、段差が設けられ、カバー２０が筐体１２に装着されたときに、カバー２０の一方の端部は筐体１２の段差に当接する。
【００３０】
このように、カバー２０は、カバー２０の一方の端部が斜めに切断されることにより、カバー２０がボタン２２ａを覆うことが無く、切り欠き２０ａが形成されることにより、カバー２０がボタン２２ｂおよび２２ｃを覆うことも無い。また、切り欠き２０ａは、カバー２０の長手方向に延びて形成されるため、カバー２０を筐体１２に着脱する際に、ボタン２２ｂおよび２２ｃが邪魔になることはない。
【００３１】
ボタン２２ａ、２２ｂ、２２ｃは、筐体１２の長手方向に一直線上に並んで配置される。詳細な説明は省略するが、ボタン２２ａ、２２ｂ、２２ｃには、それぞれ異なる機能が割り当てられている。たとえば、電子ペン１０の電源をオン／オフする機能、モード（ペンまたは消しゴムのモード）またはメニュー（線の種類、太さ、色など）を選択する機能、モードまたはメニューを記憶する機能などが該当する。
【００３２】
ロック部材２４は筐体１２のペン先１４側とは反対側の端部に取り付けられる（螺合される）。ロック部材２４が筐体１２に取り付けられると、ロック部材２４はカバー２０の他方の端部（端面）に当接する。したがって、筐体１２に取り付けられたカバー２０は固定（ロック）される。
【００３３】
ホルダ３０は、ペン先１４を保持するための部材であり、ペン先１４を取り付ける側の端部が二つに分離された部分で構成される挟持部３０ａを有する。ペン先１４は二つに分離された挟持部３０ａによって挟持（保持）される。第１実施例では、ホルダ３０は、非導電性の樹脂で形成されるが、導電性の樹脂で形成されてもよい。
【００３４】
ホルダ３０は、ペン先１４を取り付ける側の端部とは反対側の端部が筐体１２に連結される。また、ホルダ３０は、電子ペン１０（ペン先１４）の軸方向に変位可能に連結される。したがって、ユーザがタッチパネルなどを電子ペン１０でタッチしたときに、ペン先１４が筐体１２側に押し込まれる。このため、ユーザは、電子ペン１０でタッチ入力している感覚を得ることができる。
【００３５】
電池収容部３２は、筐体１２の側面から電池３６を交換可可能な位置に設けられる。このため、電子基板３４と電池３６を電子ペン１０の長手方向に一列に並べて配置する場合に比べて、電子ペン１０の長さを短くすることができる。また、電子ペン１０の長さを長くしなくても、十分な長さ（大きさ）の電子基板３４を電子ペン１０に内蔵することができるとも言える。
【００３６】
また、電池収容部３２は、ユーザが鉛筆を握るように電子ペン１０を把持する場合の持ち手に相当する部分に設けられる。これは、ユーザが電子ペン１０の重心またはその近傍を把持することにより、電子ペン１０の重さを感じ難くするためである。つまり、電子ペン１０を使い易くするためである。
【００３７】
電子基板３４には、図示は省略するが、電子ペン１０を制御するコントローラ、上記のボタン２２ａ〜２２ｃのオン／オフの信号をコントローラに入力するためのインターフェース、メモリ（ＲＯＭおよびＲＡＭ）、Bluetooth（登録商標）またはWi-Fi（登録商標）などの所定の通信方式の通信回路、電源線および信号線などが設けられる。また、電池３６は、電子ペン１０の各種の回路コンポーネントに電源を供給する。
【００３８】
図２は電子ペン１０（筐体１２）の内部に設けられる電子基板３４と電池３６の配置関係を模式的に示す図である。電子基板３４は、電池収容部３２（電池３６）と二列に並んで配置される。電池収容部３２は、電池３６のプラス側の端子３２ｂとマイナス側の端子３２ｃが設けられ、図示は省略するが、端子３２ｂおよび端子３２ｃは、電子基板３４の電源線に接続される。この端子３２ｂと端子３２ｃの間に電池３６が取り付けられる。
【００３９】
また、電子ペン１０は感圧センサ３８を含み、感圧センサ３８は筐体１２の内部であり、ホルダ３０の端部（ペン先１４とは反対側の端部）で押圧可能な位置に配置される。感圧センサ３８は、ホルダ３０が変位する方向（電子ペン１０の長手方向）に対して垂直または略垂直な方向に押圧面（検出面）が広がるように配置される。したがって、ユーザが電子ペン１０でタッチパネルなどを押圧（タッチ）すると、ペン先１４を固定するホルダ３０が感圧センサ３８に圧力を加える。すると、感圧センサ３８では、センサ部分（検出部）の抵抗値が変化する。つまり、感圧センサ３８が圧力の変化を検知（反応）し、これによって、電子ペン１０（ペン先１４）がタッチパネルなどをタッチしていることが分かる。
【００４０】
なお、ボタン２２ａ、２２ｂ、２２ｃが操作された（押された）こと、または／および、感圧センサ３８が圧力の変化を検知したことは通信回路およびアンテナを介して電子黒板などを制御するコンピュータに通知される。したがって、コンピュータは、電子ペン１０によってタッチパネル等がタッチされたことを検出する。ただし、通信回路は、電子基板３４に実装せずに、電子基板３４に実装されたプロセッサとデータを送受信可能に接続されてもよい。
【００４１】
また、電子ペン１０は、導電性の部材（導電部材）４０を含み、導電部材４０はペン先１４とカバー２０を導通させる。たとえば、導電部材４０は銅またはアルミのような導電性の金属で形成され、板ばねとしても機能する。図３に示すように、導電部材４０は、機能毎に、第１接触部４０ａ、第２接触部４０ｂおよび連結部４０ｃに分けることができる。
【００４２】
第１接触部４０ａは、ホルダ３０の挟持部３０ａの一部に設けた孔３０ｂを介してペン先１４とホルダ３０の間に配置される部分（長方形の部分）であり、ペン先１４と接触する。第１接触部４０ａは連結部４０ｃと折り曲げて連結されるため、ペン先１４およびホルダ３０が筐体１２側に変位する（押し込まれる）と、板ばねの復元力によって、逆向きに付勢される。したがって、適度な筆圧でタッチ入力することができる。よって、ユーザは電子ペン１０を用いて文字等を書く場合に、違和感を覚えることが無く、なめらかな書き味を提供することができる。
【００４３】
第２接触部４０ｂは、不等号記号のような形状に折り曲げられ、カバー２０が筐体１２に装着された場合に、筐体１２とカバー２０の間に配置される部分である。第２接触部４０ｂは、カバー２０が筐体１２に装着されると、折り曲げられた部分がカバー２０によって押圧される。つまり、第２接触部４０ｂが伸ばされる（弾性変形する）。したがって、第２接触部４０ｂの復元力が、第２接触部４０ｂが接触（当接）するカバー２０の内側の側面において外向きに働き、カバー２０を筐体１２に着脱する際の抵抗（摩擦力）になる。このため、ロック部材２４が外れた状態であっても、カバー２０が筐体１２から離脱するのを防止することができる。つまり、カバー２０が落下するのを防止することができる。
【００４４】
連結部４０ｃは、第１接触部４０ａと第２接触部４０ｂを連結する部分であり、適宜湾曲されるとともに折り曲げられ、連結部４０ｃの一部が筐体１２の内部に配置される。
【００４５】
このような構成の電子ペン１０では、ペン先１４は、導電部材４０を介して、カバー２０と電気的に接続（導通）される。また、カバー２０は、電子ペン１０を把持（使用）するユーザの手指に接触するため、カバー２０が接地されているものと見なすことができる。このため、十分な静電容量を確保することができる。したがって、電子ペン１０のペン先１４が静電容量方式のタッチパネルに接触した場合には、ペン先１４が接触する部分においてタッチパネルの内部の電極間の静電容量が大きく変化し、これによって、当該部分において、タッチされたことが検出される。
【００４６】
この第１実施例では、導電性のペン先１４のみならず、このペン先１４と電気的に接続（導通）される導電性のカバー２０を設け、さらに、このカバー２０にユーザの手指が接触するため、十分な静電容量を確保できる。したがって、電子黒板に設けられるタッチパネルのような比較的大きなタッチパネルであっても、静電容量の変化が大きいため、電子ペン１０によるタッチを正しく検出することができる。
【００４７】
なお、第１実施例の電子ペン１０では、ペン先１４が導電部材４０の第１接触部４０ａに接触しているものとするが、ペン先１４が押圧されたときに、ペン先１４が導電部材４０の第１接触部４０ａに接触される場合もある。つまり、ペン先１４は、カバー２０と導通可能に設けられる。
【００４８】
図４（Ａ）は電子ペン１０の外観構成を斜めから見た斜視図であり、図４（Ｂ）は図４（Ａ）に示す状態からロック部材２４を外した状態を示す斜視図であり、図４（Ｃ）は図４（Ｂ）に示す状態からカバー２０を取り外し、さらに、電池蓋１８を取り外した状態を示す斜視図であり、図４（Ｄ）は図４（Ｃ）に示す状態の筐体１２から電池３６を取り出した状態を示す斜視図である。
【００４９】
図４（Ａ）〜図４（Ｄ）を用いて、電子ペン１０の電池３６を交換する場合について説明する。図４（Ａ）に示す状態において、ロック部材２４を第１方向（反時計回り）に回転させると、ロックが解除され、図４（Ｂ）に示すように、ロック部材２４が取り外される。上述したように、このとき、板ばねを構成する導電部材４０の第２接触部４０ｂによってカバー２０が固定されるため、カバー２０が筐体１２から離脱するのが防止される。
【００５０】
続いて、カバー２０が筐体１２の長手方向であり、ペン先１４とは反対の方向に摺動される（引き出される）と、図４（Ｃ）に示すように、カバー２０を取り外すことができる。すると、電池蓋１８のロックが解除され、電池蓋１８を取り外すことができる。そして、図４（Ｄ）に示すように、電池収容部３２から電池３６を取り出すことができる。したがって、新しい（別の）電池３６と交換することができる。
【００５１】
電池３６を交換した後では、電池３６を取り出す場合とは逆の手順を行うことで電子ペン１０を元の状態に戻すことができる。交換した電池３６が電池収容部３２に収容され、電池蓋１８が取り付けられ、この電池蓋１８を固定するように、カバー２０が筐体１２に装着される。つまり、電池蓋１８で開口３２ａを塞いだ筐体１２がカバー２０に挿入される。このとき、カバー２０の切り欠き２０ａの位置がボタン２２ｂおよび２２ｃが設けられる位置に合わせられる。そして、ロック部材２４が第１方向とは逆の第２方向（時計回り）に回転され、ロック部材２４が取り付けられる。
【００５２】
第１実施例によれば、ペン先１４とカバー２０を導通する構成にした場合であっても、ユーザが電子ペン１０を持つ位置またはその近傍に電池収容部３２を設け、カバー２０を外して筐体１２の側面から電池３６を交換できるので、静電容量を十分に確保しつつ、使い易くすることができる。
【００５３】
また、第１実施例によれば、カバー２０は、筐体１２を長手方向に挿抜可能であり、筐体１２に装着された場合に電池蓋１８をロックし、さらに、カバー２０をロック部材２４でロックするので、電子ペン１０を落とした場合であっても、電子ペン１０が容易に分解するのを防止することができる。
【００５４】
さらに、第１実施例によれば、ペン先１４とカバー２０とを電気的に接続する導電部材４０がカバー２０と接触する部分を板ばね状に形成するので、ロック部材２４を取り外した場合にも、カバー２０が落下するのを防止することができる。つまり、電子ペン１０が容易に分解するのを防止できる。
【００５５】
さらにまた、第１実施例によれば、電池収容部３２と電子基板３４を二列に並べて配置するので、それらを一列に並べて配置する場合に比べて電子ペン１０を短くすることができる。つまり、電子ペン１０を適切な長さに設定することができる。
【００５６】
［第２実施例］
第２実施例の電子ペン１０は第１実施例の電子ペン１０の一部を変更した以外は同じであるため、異なる内容について説明することにする。
【００５７】
図５（Ａ）は、この発明の第２実施例に係る電子ペン１０の外観構成を正面から見た正面図であり、図５（Ｂ）は、図５（Ａ）に示す電子ペン１０を横から見た側面図であり、図５（Ｃ）は、図５（Ｂ）に示すVC-VC断面を示す断面図であり、図５（Ｄ）は、図５（Ｃ）の断面図の一部を拡大した拡大図である。
【００５８】
以下、図５（Ａ）〜図５（Ｄ）を参照して、第３実施例の電子ペン１０の構成について説明する。ただし、図５（Ｃ）は図１（Ｃ）と同じであり、図５（Ｄ）は図１（Ｄ）と同じである。
【００５９】
第２実施例の電子ペン１０は、ボタン２２ａのみを有し、ボタン２２ｂおよび２２ｃは省略される。このため、カバー２０は切り欠き２０ａを有していない。したがって、第２実施例の電子ペン１０のカバー２０はボタン２２ａに当たらないように、ペン先１４側の端部が斜めに切断されているだけである。
【００６０】
また、第２実施例では、カバー２０が電池収容部３２を塞ぐため、電池蓋１８が省略される。ただし、電池３６が電池収容部３２から離脱するのを防止するために、電池３６がカバー２０に接触または近接するように、電池収容部３２が形成される。つまり、第１実施例で示した電子ペン１０よりも筐体１２およびカバー２０を細くした電子ペン１０が形成される。または、第１実施例で示した電子ペン１０よりも電池３６がカバー２０寄りに配置されるように、電子ペン１０の電池収容部３２が形成される。
【００６１】
図６（Ａ）は第２実施例の電子ペン１０の外観構成を斜めから見た斜視図であり、図６（Ｂ）は図６（Ａ）に示す状態からロック部材２４を外した状態を示す斜視図であり、図６（Ｃ）は図６（Ｂ）に示す状態からカバー２０を取り外した状態を示す斜視図であり、図６（Ｄ）は図６（Ｃ）に示す状態の筐体１２から電池３６を取り出した状態を示す斜視図である。
【００６２】
図６（Ａ）〜図６（Ｄ）を用いて、第２実施例の電子ペン１０の電池３６を交換する場合について説明する。図６（Ａ）に示す状態において、ロック部材２４を第１方向（反時計回り）に回転させると、ロックが解除され、図６（Ｂ）に示すように、ロック部材２４が取り外される。
【００６３】
続いて、カバー２０が筐体１２の長手方向であり、ペン先１４とは反対の方向に摺動される（引き出される）と、図６（Ｃ）に示すように、カバー２０を取り外すことができる。そして、図６（Ｄ）に示すように、電池収容部３２から電池３６を取り出すことができる。したがって、新しい（別の）電池３６と交換することができる。
【００６４】
電池３６を交換した後では、電池３６を取り出す場合とは逆の手順を行うことで電子ペン１０を元の状態に戻すことができる。交換した電池３６が電池収容部３２に収容され、カバー２０が筐体１２に装着される。つまり、筐体１２がカバー２０に挿入される。そして、ロック部材２４が第１方向とは逆の第２方向（時計回り）に回転され、ロック部材２４が取り付けられる。
【００６５】
第２実施例によれば、カバー２０の切り欠き２０ａを無くすので、ユーザの手指がカバー２０に接触する領域を大きくすることができる。したがって、静電容量をより十分に確保することができる。
【００６６】
また、第２実施例によれば、電池蓋１８を省略するので、部品点数を削減することによるコスト低減を実現することができる。このようにした場合であっても、カバー２０は筐体１２対して摺動させなければ取り外すことができないため、電子ペン１０が容易に分解するのを防止することができる。
【００６７】
［第３実施例］
第３実施例の電子ペン１０は、導電部材４０の形状および長さを変更した以外は、第１実施例と同じであるため、異なる内容についてのみ説明する。
【００６８】
図７は第３実施例の電子ペン１０の一部断面図である。図７に示すように、第３実施例の電子ペン１０では、導電部材４０の第１接触部４０ａがホルダ３０と感圧センサ３８との間に配置される。したがって、第３実施例の場合には、ホルダ３０は導電性の樹脂で形成される。
【００６９】
このように構成した場合には、ペン先１４がタッチパネルを押圧すると、ホルダ３０は感圧センサ３８側に変位される。このとき、ホルダ３０と導電部材４０の第１接触部４０ａが接触し、ペン先１４とカバー２０が導通する。つまり、第３実施例では、ペン先１４はカバー２０に導通可能に設けられる。
【００７０】
第３実施例においても、第１実施例と同様の効果を奏する。
【００７１】
なお、第３実施例の変形は、第２実施例の電子ペン１０にも適用することができる。
【００７２】
［第４実施例］
第４実施例の電子ペン１０は、導電部材４０の一部の構成が異なる以外は第１実施例と同じであるため、異なる内容についてのみ説明する。
【００７３】
図８は第４実施例の電子ペン１０に内蔵される導電部材４０の外観構成を斜めから見た斜視図である。図８に示すように、第４実施例の電子ペン１０では、導電部材４０は、導電性の部分（金属部分）４００と導電布４０２で構成される。導電布４０２は、導電性の布であり、金属部分４００に導電性の接着剤を用いて接着される。図８においては、金属部分４００と導電布４０２の接続部４０４を網掛け線で示してある。
【００７４】
金属部分４００は銅またはアルミのような導電性の金属で形成され、板ばねとしても機能し、図３も参照して分かるように、第１実施例に示した第２接触部４０ｂおよび連結部４０ｃの一部に相当する。また、導電布４０２は、第１実施例に示した第１接触部４０ａおよび連結部４０ｃの他の一部に代えて設けられる。
【００７５】
第４実施例によれば、第１実施例の効果を奏するとともに、少なくともペン先１４と接触する導電部材４０の一部を導電布４０２で構成するので、ペン先１４と導電部材４０を容易に接触させることができる。
【００７６】
なお、第４実施例の変形は、第２実施例の電子ペン１０にも適用することができる。この場合、金属で形成される第１接触部４０ａに圧力を加える場合に比べてペン先１４に加える圧力が小さくても、その圧力を感圧センサ３８に伝達することができる。つまり、容易にペン先１４の圧力を感圧センサ３８に伝達することができる。
【００７７】
また、上述の各実施例で示した電子ペン１０の具体的な構成は実際の製品において適宜変更することができる。ペン先１４とカバー２０を導通可能な構成にしつつ、使い易く構成されている点に着目されるべきである。
【符号の説明】
【００７８】
１０  …電子ペン
１２  …筐体
１４  …ペン先
１６  …ペン先カバー
１８  …電池蓋
２０  …カバー
２２ａ、２２ｂ、２２ｃ  …ボタン
２４  …ロック部材
３０  …ホルダ
３２  …電池収容部
３４  …電子基板
３６  …電池
４０  …導電部材
【図１】
2019046005.tif 000003
【図２】
2019046005.tif 000004
【図３】
2019046005.tif 000005
【図４】
2019046005.tif 000006
【図５】
2019046005.tif 000007
【図６】
2019046005.tif 000008
【図７】
2019046005.tif 000009
【図８】
2019046005.tif 000010